【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
外部装置とネットワークを介して通信可能な印刷装置であって、
人感センサと、
前記外部装置からシャットダウン要求を受信する受信手段と、
前記印刷装置をシャットダウンする制御手段と、
前記シャットダウン要求を受信したときに前記人感センサの検知結果を取得する取得手段と、
前記取得手段によって取得された前記人感センサの検知結果を前記外部装置に送信する送信手段と、を備えることを特徴とする印刷装置。
【請求項２】
前記送信手段は、前記人感センサの検知結果を示す画面を前記外部装置のウェブブラウザに表示させるデータを前記外部装置に送信する、ことを特徴とする請求項１に記載の印刷装置。
【請求項３】
前記画面には前記印刷装置をシャットダウンするためのボタンが表示されており、
前記制御手段は、前記外部装置で前記ボタンが選択されたことに基づいて、前記印刷装置をシャットダウンする、ことを特徴とする請求項２に記載の印刷装置。
【請求項４】
前記画面には前記印刷装置を強制的にシャットダウンするための強制シャットダウンボタンが表示されており、
前記制御手段は、前記外部装置で前記強制シャットダウンボタンが選択されたことに基づいて、前記人感センサが人を検知していても強制的に前記印刷装置をシャットダウンする、ことを特徴とする請求項１又は２に記載の印刷装置。
【請求項５】
前記画面には前記人感センサが人を検知しなくなったときに前記印刷装置をシャットダウンするためのシャットダウン待機指示ボタンが表示されており、
前記制御手段は、前記外部装置で前記シャットダウン待機指示ボタンが選択され、且つ、前記人感センサが人を検知しなくなったことに基づいて、前記印刷装置をシャットダウンする、ことを特徴とする請求項１又は２に記載の印刷装置。
【請求項６】
前記送信手段は、前記シャットダウン要求を受信したときに前記人感センサが人を検知していれば、前記人感センサの検知結果を前記外部装置に送信する、ことを特徴とする請求項１乃至５の何れか１項に記載の印刷装置。
【請求項７】
前記制御手段は、前記シャットダウン要求を受信したときに前記人感センサが人を検知していなければ、前記印刷装置をシャットダウンする、ことを特徴とする請求項１乃至６の何れか１項に記載の印刷装置。
【請求項８】
前記人感センサは、人から放射される赤外線を受信する赤外線センサである、ことを特徴とする請求項１乃至７の何れか１項に記載の印刷装置。
【請求項９】
前記印刷装置のシャットダウンが実行されていることを示す画面を表示する表示手段、をさらに備えることを特徴とする請求項１乃至８の何れか１項に記載の印刷装置。
【請求項１０】
前記シャットダウンは、前記印刷装置への電力供給を停止する処理を含む、ことを特徴とする請求項１乃至９の何れか１項に記載の印刷装置。
【請求項１１】
前記シャットダウンは、前記印刷装置に格納されているジョブをキャンセルする処理を含む、ことを特徴とする請求項１乃至１０の何れか１項に記載の印刷装置。
【請求項１２】
前記ジョブは、プリントジョブ又はコピージョブである、ことを特徴とする請求項１１に記載の印刷装置。
【請求項１３】
人感センサを備える印刷装置の制御方法であって、
外部装置からネットワークを介してシャットダウン要求を受信するステップと、
前記シャットダウン要求を受信したときに前記人感センサの検知結果を取得するステップと、
取得された前記人感センサの検知結果を前記外部装置に送信するステップと、
前記印刷装置をシャットダウンするステップと、を有することを特徴とする印刷装置の制御方法。
【請求項１４】
外部装置とネットワークを介して通信可能な印刷装置であって、
人感センサと、
前記外部装置からシャットダウン指示を受信する受信手段と、
前記シャットダウン指示に従って前記印刷装置をシャットダウンするかどうかを、前記人感センサの検知結果に基づいて決定する制御手段と、を備えることを特徴とする印刷装置。
【請求項１５】
前記制御手段は、前記シャットダウン指示を受信したときに前記人感センサの検知結果を取得し、取得した前記人感センサの検知結果に基づいて、前記印刷装置をシャットダウンするかどうかを決定する、ことを特徴とする請求項１４に記載の印刷装置。
【請求項１６】
前記制御手段は、前記人感センサの検知結果が人を検知していないことを示す場合に、前記シャットダウン指示に従って前記印刷装置をシャットダウンする、ことを特徴とする請求項１４又は１５に記載の印刷装置。
【請求項１７】
前記制御手段は、前記人感センサの検知結果が人を検知していることを示す場合に、前記シャットダウン指示に従って前記印刷装置をシャットダウンしない、ことを特徴とする請求項１４乃至１６の何れか１項に記載の印刷装置。
【請求項１８】
前記制御手段は、前記人感センサの検知結果が人を検知していないことを示したことに従って前記印刷装置をシャットダウンする、ことを特徴とする請求項１７に記載の印刷装置。
【請求項１９】
前記人感センサは、人から放射される赤外線を受信する赤外線センサである、ことを特徴とする請求項１４乃至１８の何れか１項に記載の印刷装置。
【請求項２０】
人感センサを備える印刷装置の制御方法であって、
前記外部装置からネットワークを介してシャットダウン指示を受信するステップと、
前記シャットダウン指示に従って前記印刷装置をシャットダウンするかどうかを、前記人感センサの検知結果に基づいて決定するステップと、を有することを特徴とする印刷装置の制御方法。
【手続補正２】
【補正対象書類名】明細書
【補正対象項目名】発明の名称
【補正方法】変更
【補正の内容】
【発明の名称】印刷装置、印刷装置の制御方法
【手続補正３】
【補正対象書類名】明細書
【補正対象項目名】０００１
【補正方法】変更
【補正の内容】
【０００１】
本発明は、ネットワークを介して接続された端末から送信される要求に従って、電力制御を行う印刷装置、印刷装置の制御方法に関する。
【手続補正４】
【補正対象書類名】明細書
【補正対象項目名】０００５
【補正方法】変更
【補正の内容】
【０００５】
そこで、本発明は、装置の周囲に人が存在する場合に、ネットワークを介して印刷装置の電源を制御することを制限することを目的とする。
【手続補正５】
【補正対象書類名】明細書
【補正対象項目名】０００６
【補正方法】変更
【補正の内容】
【０００６】
本発明の印刷装置は、外部装置とネットワークを介して通信可能な印刷装置であって、人感センサと、前記外部装置からシャットダウン要求を受信する受信手段と、前記印刷装置をシャットダウンする制御手段と、前記シャットダウン要求を受信したときに前記人感センサの検知結果を取得する取得手段と、前記取得手段によって取得された前記人感センサの検知結果を前記外部装置に送信する送信手段と、を備える。
【手続補正６】
【補正対象書類名】明細書
【補正対象項目名】０００７
【補正方法】変更
【補正の内容】
【０００７】
また、本発明の印刷装置は、外部装置とネットワークを介して通信可能な印刷装置であって、人感センサと、前記外部装置からシャットダウン指示を受信する受信手段と、前記シャットダウン指示に従って前記印刷装置をシャットダウンするかどうかを、前記人感センサの検知結果に基づいて決定する制御手段と、を備える。